(57)【要約】【課題】情報コードリーダを分解することなく、ケース内に配置されたセンサの読取り面を清掃することができる技術を提供する。【解決手段】情報コードリーダ１０は、情報コードを読取可能なセンサ２０と、センサ２０を収容するケース１２と、ケース１２内に設けられ、センサ２０の読取り面２１を清掃するための清掃具３０と、清掃具３０をセンサ２０の読取り面２１に接触させ、該読取り面２１に沿って移動させるための移動機構４０と、ケース１２外に設けられ、移動機構４０を作動させるための作動操作を入力可能な操作ネジ５０を有している。【選択図】図１
2014052703.tif 000002
【特許請求の範囲】
【請求項１】
情報コードリーダであって、
情報コードを読取可能なセンサと、
センサを収容するケースと、
ケース内に設けられ、センサの読取り面を清掃するための清掃具と、
清掃具をセンサの読取り面に接触させ、該読取り面に沿って移動させるための移動機構と、
ケース外に設けられ、移動機構を作動させるための作動操作を入力可能な操作手段、
を有している、情報コードリーダ。
【請求項２】
移動機構は、センサの読取り面の近傍に設けられたベルト部材と、そのベルト部材を駆動する駆動部材と、を備えており、
清掃具は、ベルト部材に取り付けられており、
操作手段に入力された作動操作により駆動部材が回転することでベルト部材が回転し、ベルト部材の回転に伴って清掃具がセンサの読取り面に沿って移動する、請求項１の情報コードリーダ。
【請求項３】
操作手段は、ケースの外側に配置されると共に、ケースに対して回転可能に取付けられた操作部材であり、
操作部材をケースに対して回転させることで、駆動部材が回転してベルト部材が回転する、請求項２の情報コードリーダ。
【請求項４】
操作手段は、センサの読取方向が下方に向くようにケースが配置された場合に、センサより下方に位置する、請求項１から３のいずれか一項の情報コードリーダ。
【発明の詳細な説明】
【技術分野】
【０００１】
本明細書で開示する技術は、情報コードリーダに関する。
【背景技術】
【０００２】
バーコードや２次元コード等の情報コードを読み取る情報コードリーダが知られている。特許文献１には、ケースの読取口とセンサの間に透光性の防護部材を配置した情報コードリーダが開示されている。
【先行技術文献】
【特許文献】
【０００３】
【特許文献１】特開２０１０−１０８１２６号公報
【発明の概要】
【発明が解決しようとする課題】
【０００４】
ケース内で発生する塵芥等によりセンサの読取り面が汚れる場合がある。センサの読取り面が汚れると、センサの情報コード読み取り性能が低下する。従来の情報コードリーダでは、センサを清掃するためには、情報コードリーダを分解する必要がある。本明細書は、情報コードリーダを分解することなく、ケース内に配置されたセンサの読取り面を清掃することができる技術を提供する。
【課題を解決するための手段】
【０００５】
本明細書が開示する情報コードリーダは、情報コードを読取可能なセンサと、センサを収容するケースと、ケース内に設けられ、センサの読取り面を清掃するための清掃具と、清掃具をセンサの読取り面に接触させ、該読取り面に沿って移動させるための移動機構と、ケース外に設けられ、移動機構を作動させるための作動操作を入力可能な操作手段を有している。
【０００６】
上記の情報コードリーダでは、ケース外に設けられた操作手段に作動操作を入力すると、移動機構が作動して、清掃具がセンサに接触しながらセンサの読取り面に沿って移動する。これにより、センサの読取り面を清掃することができる。従って、情報コードリーダを分解することなく、ケース内に配置されたセンサの読取り面を清掃することができる。
【図面の簡単な説明】
【０００７】
【図１】第１実施例の情報コードリーダ１０の側面断面図。
【図２】図１のII−II断面図。
【図３】図１のIII−III断面図。
【図４】第２実施例の情報コードリーダ１０の側面断面図。
【発明を実施するための形態】
【０００８】
以下に説明する実施例の主要な特徴を列記しておく。なお、以下に示す技術要素は、それぞれ独立した技術要素であって、単独であるいは各種の組み合わせによって技術的有用性を発揮するものであり、出願時請求項記載の組み合わせに限定されるものではない。
【０００９】
（特徴１）移動機構は、センサの読取り面の近傍に設けられたベルト部材と、そのベルト部材を駆動する駆動部材と、を備えていてもよい。清掃具は、ベルト部材に取り付けられていてもよい。操作手段に入力された作動操作により駆動部材が回転することでベルト部材が回転し、ベルト部材の回転に伴って清掃具がセンサの読取り面に沿って移動するようにしてもよい。
【００１０】
この構成によると、ベルト部材を回転駆動することで、清掃具を読取り面に沿って移動させる。ベルト部材を用いることで移動機構をコンパクト化し、情報コードリーダが大型化することを防止することができる。
【００１１】
（特徴２）操作手段は、ケースの外側に配置されると共に、ケースに対して回転可能に取付けられた操作部材であってもよい。操作部材をケースに対して回転させることで、駆動部材が回転してベルト部材が回転するようにしてもよい。
【００１２】
この構成によると、操作部材を手動で回転させることで、センサの読取り面を清掃することができる。モータ等の駆動源が不要となるため、情報コードリーダの重量化及び大型化を抑制することができる。
【００１３】
（特徴３）操作手段は、センサの読取方向が下方に向くようにケースが配置された場合に、センサより下方に位置してもよい。
【００１４】
この構成によると、センサの読取方向が下方に向くようにケースが配置された場合に、センサより下方に操作手段が位置する。このため、操作手段に起因する塵芥等が落下しても、その塵芥等がセンサの読取り面に付着し難くなる。従って、センサの読取り面が汚れることを抑制し易くなる。
【００１５】
（第１実施例）
情報コードリーダ１０は、店舗や倉庫で受発注管理等に使用される情報コードリーダであって、バーコードや２次元コード等の情報コードを読取り可能な情報コードリーダである。図１に示すように、情報コードリーダ１０は、センサ２０、清掃具３０、スクレイパー３２、及び、移動機構４０を備えており、これらはケース１２の内部に収容されている。また、ケース１２の外部には、移動機構４０を作動させるための操作ネジ５０が設けられている。
【００１６】
ケース１２は、長手方向途中で屈曲した略Ｌ字形状に形成されている。ケース１２の上面１２ａには、情報コードリーダ１０に指示を入力するための複数個の操作ボタン１４が設けられている。また、図示しないが、上面１２ａには、様々な情報を表示するための表示部が設けられている。ケース１２の下面１２ｂには、操作ネジ５０が設けられている。操作ネジ５０には回転軸５２の下端が固定されている。回転軸５２は、ケース１２の下面１２ｂに設けられた貫通孔を貫通し、ケース１２の内部に達している。また、回転軸５２は、ケース１２の下面１２ｂに形成された貫通孔に対して回転可能に支持されている。このため、操作ネジ５０は、ケース１２に対して回転可能に支持されている。ケース１２の長手方向の端部１２ｃは開口しており、その開口部には透明板１６が嵌め込まれている。
【００１７】
センサ２０は、紙などに表わされている情報コードを読取るためのＣＣＤセンサである。センサ２０は、情報コードを読取り可能な面である読取り面２１を有している。読取り面２１は、透明板１６と対向するように配置されている。そのため、ケース１２内に収容されたセンサ２０は、透明板１６を通してケース１２外の情報コードを読取ることができる。センサ２０には、図示しない演算装置が接続されている。演算装置は、センサ２０が読取った情報コードから情報を復元（デコード）することができる。
【００１８】
移動機構４０は、センサ２０の読取り面２１と透明板１６の間の位置に設けられている。また、図２に示すように、移動機構４０は、ケース１２内で、読取り面２１より下方の位置に設けられている。図３に示すように、移動機構４０は、ベルト４２と、２個のプーリー４４と、ギア４６とを有している。
【００１９】
ベルト４２は、無端ベルトである。ベルト４２は、２個のプーリー４４の間に架けられている。図３に示すように、ベルト４２及びプーリー４４は、ベルト４２の長手方向が、センサ２０の読取り面２１と並行になるように配置されている。ベルト４２の内側には、ギア４６が備えられている。ギア４６は、ベルト４２の内周面と係合している。ギア４６は、操作ネジ５０の回転軸５２の上端に固定されている。そのため、操作ネジ５０が回転すると、図３に示すようにギア４６が回転し（矢印４８参照）、それに伴って、ベルト４２が回転する（矢印６０参照）。
【００２０】
清掃具３０は、読取り面２１を清掃するブラシであり、ベルト４２の外周面に固定されている。図２に示すように、清掃具３０は、ベルト４２の上方に突出するように配置されており、センサ２０の読取り面２１とほぼ同じ高さに配置されている。そのため、図３に示すように、ギア４６の回転（矢印４８参照）に伴ってベルト４２が回転すると（矢印６０参照）、清掃具３０は、センサ２０の読取り面２１に接触しながら、センサ２０の読取り面２１に沿って移動する。読取り面２１には、密閉状態のケース１２内で発生する塵芥類（例えば、フラックスのかす、細かい埃等）が付着する場合がある。即ち、清掃具３０が読取り面２１に沿って移動することにより、読取り面２１に付着した塵芥類を除去し、読取り面２１を清掃することができる。通常時は、清掃具３０を、センサ２０の読取り面２１と対向しない位置（図３中に示す清掃具３０の位置と図３中の仮想線の位置の二箇所。以下「退避位置」と呼ぶ）に退避させておくことができる。
【００２１】
スクレイパー３２は、センサ２０の読取り面２１の両側方に配置された板材である。図３に示すように、スクレイパー３２は、その端部が、ベルト４２の回転に伴って移動する清掃具３０の移動経路に突出するように配置されている。このため、二つの退避場所間で清掃具３０を移動させると、読取り面２１を清掃した後の清掃具３０がスクレイパー３２に接触する。その結果、清掃具３０に付着した塵芥類が、スクレイパー３２によって削ぎ落とされる。これにより、塵芥類が清掃具３０に蓄積することを防止することができる。
【００２２】
図１、図２に示すように、操作ネジ５０は、ケース１２の下面１２ｂに設けられ、また、センサ２０の読取り面２１と透明板１６の間に移動機構４０が設けられている。従って、センサ２０の読取方向（図１の透明板１６の方向）が下方に向くようにケース１２が配置されると、操作ネジ５０は、センサ２０より下方に位置する。上述したように、操作ネジ５０の回転軸５２の下端には操作ネジ５０が固定され、その上端にはギア４６が固定されている。従って、ケース１２の外側から、操作ネジ５０をつまんで回転軸５２を回転させると、ケース１２内のギア４６が、操作ネジ５０の回転と同期して回転する。その結果、ギア４６の回転に伴ってベルト４２が回転し、それに伴って清掃具３０が移動する。即ち、本実施例の情報コードリーダ１０では、操作ネジ５０を回転させることで、清掃具３０を移動させてセンサ２０の読取り面２１を清掃することができる。
【００２３】
以上、本実施例の情報コードリーダ１０の構成について説明した。上記の通り、ケース１２外に設けられた操作ネジ５０を回転させると、移動機構４０が作動して、清掃具３０がセンサ２０の読取り面２１に接触しながら読取り面２１に沿って移動する。これにより、センサ２０の読取り面２１を清掃することができる。従って、情報コードリーダ１０を分解することなく、ケース１２内に配置されたセンサ２０の読取り面２１を清掃することができる。
【００２４】
また、本実施例では、移動機構４０は、無端ベルトであるベルト４２と、２個のプーリー４４と、ギア４６によって構成されている。ベルト４２を用いたことで、移動機構４０がコンパクト化し、情報コードリーダ１０が大型化することを防止することができる。
【００２５】
また、本実施例では、ケース１２外に位置する操作ネジ５０を手動で回転させると、ケース１２内のギア４６が、操作ネジ５０の回転と同期して回転する。その結果、上記の通り、ギア４６の回転に伴ってベルト４２が回転し、それに伴って清掃具３０が移動し、センサ２０の読取り面２１を清掃する。モータ等の駆動源を必要としないため、情報コードリーダ１０の重量化及び大型化を抑制することができる。
【００２６】
また、本実施例では、センサ２０の読取方向（図１の透明板１６の方向）が下方に向くようにケース１２が配置されると、操作ネジ５０がセンサ２０より下方に位置する。そのため、操作ネジ５０に起因する塵芥等が落下しても、その塵芥等がセンサ２０の読取り面２１に付着し難くなる。従って、センサ２０の読取り面２１が汚れることを抑制する。
【００２７】
（第２実施例）
第２実施例について、第１実施例と異なる点を説明する。図４に示すように、本実施例の情報コードリーダ１００は、ケース１１２が第１実施例とは異なる。本実施例のケース１１２は、途中で屈曲していない略直方体のケースである。即ち、本実施例の情報コードリーダ１００は、いわゆるストレートタイプのケース１１２を有する。ケース１１２の上面１１２ａには、情報コードリーダ１００に指示を入力するための複数個の操作ボタン１１４が設けられている。ケース１１２の下面１１２ｂには、第１実施例と同様に、操作ネジ５０が設けられている。ケース１１２の長手方向の端部１１２ｃは開口しており、その開口部には透明板１１６が嵌め込まれている。
【００２８】
図４に示すように、本実施例でも、センサ２０の読取方向（図４の透明板１１６の方向）が下方に向くようにケース１１２が配置されると、操作ネジ５０は、センサ２０より下方に位置する。そのため、本実施例の情報コードリーダ１００でも、操作ネジ５０に起因する塵芥等が落下しても、その塵芥等がセンサ２０の読取り面２１に付着し難くなる。従って、センサ２０の読取り面２１が汚れるのを抑制し易くなる。
【００２９】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。例えば、以下の変形例を含んでもよい。
【００３０】
（変形例１）操作ネジ５０は、ケース１２（１１２）の下面１２ｂ（１１２ｂ）に限られず、ケースの上面や側面等に備えられていてもよい。
【００３１】
（変形例２）清掃具３０を移動させるための移動機構４０は、上記のベルト４２、プーリー４４、及び、ギア４６による動力伝達機構に限られず、任意の機構を採用することができる。例えば、ネジと、そのネジに係合するスライダによる動力伝達機構を採用してもよい。すなわち、ネジを回転させることで、ネジに係合するスライダがネジ軸に沿って移動する機構を採用してもよい。この場合、スライダに清掃具を取付けることで、清掃具をセンサの読取り面に沿って移動させることができる。
【００３２】
（変形例３）また、移動機構４０は、モータ等の駆動源を有していてもよい。その場合、駆動源が作動することによって、清掃具３０が移動してもよい。また、この場合、ケース１２の外側には、駆動源を作動させるための操作スイッチが備えられていてもよい。
【００３３】
（変形例４）清掃具３０は、上記のブラシに限らず、任意の部材とすることができる。従って、例えば、布部材やスポンジ部材等、読取り面２１の材質等に応じて任意の部材を選択することができる。
【００３４】
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００３５】
１０：情報コードリーダ
１２：ケース
１４：操作ボタン
１６：透明板
２０：センサ
２１：読取り面
３０：清掃具
３２：スクレイパー
４０：移動機構
４２：ベルト
４４：プーリー
４６：ギア
４８：矢印
５０：操作ネジ
５２：回転軸
６０：矢印
１００：情報コードリーダ
１１２：ケース
１１４：操作ボタン
１１６：透明板
【図１】
2014052703.tif 000003
【図２】
2014052703.tif 000004
【図３】
2014052703.tif 000005
【図４】
2014052703.tif 000006